(57)【要約】【課題】ハードディスクに記録された高画質の情報を光ディスクに記録する際に実行する高画質から標準画質への変換処理を、装置の電源がオフ状態の時で、且つ設定された日時に自動的に行って、前記変換されたＳＤ画質の情報を光ディスクまたはハードディスクに記録することができるようにする複合型記録再生装置を提供する。【解決手段】システムコントローラは、ハードディスクに記録されたＨＤ画質の情報をＳＤ画質の情報に変換する日時が設定されたことを検知し、電源がオフ状態であると判定した場合に、現在日時が前記設定された変換日時になったときに、画質変換回路に対してＨＤ画質からＳＤ画質への変換を実行させ、前記変換されたＳＤ画質の情報を光ディスクまたはハードディスクに記録させる。【選択図】図７
2007281854.tif 000002
【特許請求の範囲】
【請求項１】
高画質のテレビジョン放送信号を受信してデジタルチューナで選局された番組の高画質の映像信号および音声信号の情報をハードディスクに記録したり、ハードディスクに記録された情報を再生したりするハードディスク装置と、光ディスクに情報を記録したり、光ディスクに記録された情報を再生したりする光ディスク装置とを備えた複合型記録再生装置において
録画予約の操作がされたときに高画質と標準画質との両方を選択する項目を含む録画予約メニュー画面をディスプレイ装置に表示させる録画予約メニュー画面表示手段と、
前記録画予約メニュー画面から高画質と標準画質との両方を選択する項目が選択された場合に、光ディスクに対する記録フォーマットを設定して現在日時が録画予約日時になったとき前記デジタルチューナで選局された番組の高画質の映像信号および音声信号の情報をハードディスクに記録させる制御を行う高画質記録制御手段と、
前記高画質の映像信号および音声信号の情報がハードディスクに記録された後、装置の電源がオン状態であるかオフ状態であるかを判定する電源状態判定手段と、
前記電源がオフ状態であると判定されたときに、画質変換回路に対して高画質から標準画質への変換を実行させる制御を行う画質変換制御手段と、を有するシステムコントローラを備えたことを特徴とする複合型記録再生装置。
【請求項２】
高画質のテレビジョン放送信号を受信してデジタルチューナで選局された番組の高画質の映像信号および音声信号の情報をハードディスクに記録したり、ハードディスクに記録された情報を再生したりするハードディスク装置と、光ディスクに情報を記録したり、光ディスクに記録された情報を再生したりする光ディスク装置とを備えた複合型記録再生装置において
録画予約の操作がされたときに高画質と標準画質との両方を選択する項目を含む録画予約メニュー画面をディスプレイ装置に表示させる録画予約メニュー画面表示手段と、
前記録画予約メニュー画面から高画質と標準画質との両方を選択する項目が選択された場合に、光ディスクに対する記録フォーマットを設定して現在日時が録画予約日時になったとき前記デジタルチューナで選局された番組の高画質の映像信号および音声信号の情報をハードディスクに記録させる制御を行う高画質記録制御手段と、
前記ハードディスクに記録された高画質の映像信号および音声信号の情報を標準画質の映像信号および音声信号の情報に変換する日時がメモリに設定されたか否かを判定する画質変換日時判定手段と、
前記変換する日時が設定されたと判定された場合に、装置の電源がオン状態であるかオフ状態であるかを判定する電源状態判定手段と、
前記電源がオフ状態であると判定され、現在日時が前記設定された変換日時になったときに、画質変換回路に対して高画質から標準画質への変換を実行させる制御を行う画質変換制御手段と、を有するシステムコントローラを備えたことを特徴とする複合型記録再生装置。
【請求項３】
高画質のテレビジョン放送信号を受信してデジタルチューナで選局された番組の高画質の映像信号および音声信号の情報をハードディスクに記録したり、ハードディスクに記録された情報を再生したりするハードディスク装置と、光ディスクに情報を記録したり、光ディスクに記録された情報を再生したりする光ディスク装置とを備えた複合型記録再生装置において
録画予約の操作がされたときに高画質と標準画質との両方を選択する項目を含む録画予約メニュー画面をディスプレイ装置に表示させる録画予約メニュー画面表示手段と、
前記録画予約メニュー画面から高画質と標準画質との両方を選択する項目が選択された場合に、光ディスクに対する記録フォーマットを設定して現在日時が録画予約日時になったとき前記デジタルチューナで選局された番組の高画質の映像信号および音声信号の情報をハードディスクに記録させる制御を行う高画質記録制御手段と、
前記ハードディスクに記録された高画質の映像信号および音声信号の情報を標準画質の映像信号および音声信号の情報に変換する日時がメモリに設定されたか否かを判定する画質変換日時判定手段と、
前記変換する日時が設定されたと判定された場合に、装置の電源がオン状態であるかオフ状態であるかを判定する電源状態判定手段と、
前記電源がオフ状態であると判定され、現在日時が前記設定された変換日時になったときに、画質変換回路に対して高画質から標準画質への変換を実行させる制御を行う画質変換制御手段と、
前記変換された標準画質の映像信号および音声信号の情報を光ディスクまたはハードディスクに記録させる制御を行う標準画質記録制御手段と、
前記変換された標準画質の映像信号および音声信号の情報が光ディスクまたはハードディスクに記録されたときに、前記高画質の映像信号および音声信号の情報をハードディスクから消去させる制御を行う高画質消去制御手段と、を有するシステムコントローラを備えたことを特徴とする複合型記録再生装置。
【請求項４】
高画質のテレビジョン放送信号を受信してデジタルチューナで選局された番組の高画質の映像信号および音声信号の情報をハードディスクに記録したり、ハードディスクに記録された情報を再生したりするハードディスク装置と、光ディスクに情報を記録したり、光ディスクに記録された情報を再生したりする光ディスク装置とを備えた複合型記録再生装置において
前記高画質の映像信号および音声信号の情報がハードディスクに記録された後、装置の電源がオフ状態であると判定されたときに、画質変換回路に対して高画質から標準画質への変換を実行させる制御を行うシステムコントローラを備えたことを特徴とする複合型記録再生装置。
【請求項５】
高画質のテレビジョン放送信号を受信してデジタルチューナで選局された番組の高画質の映像信号および音声信号の情報をハードディスクに記録したり、ハードディスクに記録された情報を再生したりするハードディスク装置と、光ディスクに情報を記録したり、光ディスクに記録された情報を再生したりする光ディスク装置とを備えた複合型記録再生装置において
前記ハードディスクに記録された高画質の映像信号および音声信号の情報を標準画質の映像信号および音声信号の情報に変換する日時が設定されたと判定された場合に、電源がオフ状態であると判定され、現在日時が前記設定された変換日時になったときに、画質変換回路に対して高画質から標準画質への変換を実行させる制御を行うシステムコントローラを備えたことを特徴とする複合型記録再生装置。
【請求項６】
高画質のテレビジョン放送信号を受信してデジタルチューナで選局された番組の高画質の映像信号および音声信号の情報をハードディスクに記録したり、ハードディスクに記録された情報を再生したりするハードディスク装置と、光ディスクに情報を記録したり、光ディスクに記録された情報を再生したりする光ディスク装置とを備えた複合型記録再生装置において
前記ハードディスクに記録された高画質の映像信号および音声信号の情報を標準画質の映像信号および音声信号の情報に変換する日時が設定されたと判定された場合に、電源がオフ状態であると判定され、現在日時が前記設定された変換日時になったときに、画質変換回路に対して高画質から標準画質への変換を実行させ、前記変換された標準画質の映像信号および音声信号の情報を光ディスクまたはハードディスクに記録させる制御を行うシステムコントローラを備えたことを特徴とする複合型記録再生装置。
【請求項７】
前記システムコントローラは、録画予約の操作がされたときに高画質と標準画質との両方を選択する項目を含む録画予約メニュー画面をディスプレイ装置に表示させる録画予約メニュー画面表示手段と、前記録画予約メニュー画面から高画質と標準画質との両方を選択する項目が選択された場合に、光ディスクに対する記録フォーマットを設定して現在日時が録画予約日時になったとき前記デジタルチューナで選局された番組の高画質の映像信号および音声信号の情報をハードディスクに記録させる制御を行う高画質記録制御手段と、前記高画質の映像信号および音声信号の情報がハードディスクに記録された後、装置の電源がオン状態であるかオフ状態であるかを判定する電源状態判定手段と、前記電源がオフ状態であると判定されたときに、画質変換回路に対して高画質から標準画質への変換を実行させる制御を行う画質変換制御手段とを有することを特徴とする請求項４に記載の複合型記録再生装置。
【請求項８】
前記システムコントローラは、録画予約の操作がされたときに高画質と標準画質との両方を選択する項目を含む録画予約メニュー画面をディスプレイ装置に表示させる録画予約メニュー画面表示手段と、前記録画予約メニュー画面から高画質と標準画質との両方を選択する項目が選択された場合に、光ディスクに対する記録フォーマットを設定して現在日時が録画予約日時になったとき前記デジタルチューナで選局された番組の高画質の映像信号および音声信号の情報をハードディスクに記録させる制御を行う高画質記録制御手段と、前記ハードディスクに記録された高画質の映像信号および音声信号の情報を標準画質の映像信号および音声信号の情報に変換する日時がメモリに設定されたか否かを判定する画質変換日時判定手段と、前記変換する日時が設定されたと判定された場合に、装置の電源がオン状態であるかオフ状態であるかを判定する電源状態判定手段と、前記電源がオフ状態であると判定され、現在日時が前記設定された変換日時になったときに、画質変換回路に対して高画質から標準画質への変換を実行させる制御を行う画質変換制御手段とを有することを特徴とする請求項５に記載の複合型記録再生装置。
【請求項９】
前記システムコントローラは、録画予約の操作がされたときに高画質と標準画質との両方を選択する項目を含む録画予約メニュー画面をディスプレイ装置に表示させる録画予約メニュー画面表示手段と、前記録画予約メニュー画面から高画質と標準画質との両方を選択する項目が選択された場合に、光ディスクに対する記録フォーマットを設定して現在日時が録画予約日時になったとき前記デジタルチューナで選局された番組の高画質の映像信号および音声信号の情報をハードディスクに記録させる制御を行う高画質記録制御手段と、前記ハードディスクに記録された高画質の映像信号および音声信号の情報を標準画質の映像信号および音声信号の情報に変換する日時がメモリに設定されたか否かを判定する画質変換日時判定手段と、前記変換する日時が設定されたと判定された場合に、装置の電源がオン状態であるかオフ状態であるかを判定する電源状態判定手段と、前記電源がオフ状態であると判定され、現在日時が前記設定された変換日時になったときに、画質変換回路に対して高画質から標準画質への変換を実行させる制御を行う画質変換制御手段と、前記変換された標準画質の映像信号および音声信号の情報を光ディスクまたはハードディスクに記録させる制御を行う標準画質記録制御手段とを有することを特徴とする請求項６に記載の複合型記録再生装置。
【請求項１０】
前記システムコントローラは、前記変換された標準画質の映像信号および音声信号の情報が光ディスクまたはハードディスクに記録されたときに、前記高画質の映像信号および音声信号の情報をハードディスクから消去させる制御を行う高画質消去制御手段を有することを特徴とする請求項９に記載の複合型記録再生装置。
【発明の詳細な説明】
【技術分野】
【０００１】
本発明は、高画質のテレビジョン放送信号を受信してデジタルチューナで選局された番組の高画質の映像信号および音声信号の情報をハードディスクに記録したり、ハードディスクに記録された情報を再生したりするハードディスク装置と、光ディスクに情報を記録したり、光ディスクに記録された情報を再生したりする光ディスク装置とを備えた複合型記録再生装置に関し、特に、高画質の映像信号および音声信号の情報を標準画質の映像信号および音声信号の情報に変換するときのタイミングなどを決定するための処理に関する。
【背景技術】
【０００２】
現在、テレビジョン放送の方式として、地上波デジタル放送と、デジタルハイビジョン放送であるＢＳデジタル放送やＣＳデジタル放送とが知られている。これらの放送方式におけるＭＰＥＧシステムでは、広範囲なアプリケーションに対応できるように２種類の方式が規定されている。この２種類の方式とは、１つのストリームの中に唯一のプログラムを構成しているプログラムストリーム（ＰＳ）と、１つのストリームの中に複数のプログラムで構成されているトランスポートストリーム（ＴＳ）とである。
【０００３】
また、テレビ番組の情報を記録する際の記録媒体として、ハードディスク、光ディスク（ＤＶＤ）、ビデオテープなどが用いられる。光ディスクへの記録システムは、光ディスクの互換性を考慮し、ＭＰＥＧシステムとしてＰＳの採用が規格化されている。一方、記録媒体としてのハードディスクは、装置に固定的に設置されるため、記録媒体としての互換性は考慮外であるから、ＰＳかＴＳかが規格化されている訳ではない。
【０００４】
デジタル放送に対応する記録再生装置は、ハードディスク装置や光ディスク装置の単一装置、あるいはハードディスク装置と光ディスク装置との複合装置にデジタルチューナを搭載し、デジタルチューナで特定のＴＳを選択して、特定ＴＳ内の例えば、チャンネルＡ、チャンネルＢ，チャンネルＣなどのうち、１つのチャンネルを選局して、この選局したチャンネルの番組情報を記録するようになっている。
【特許文献１】特開２００５−３２２２９８号公報
【特許文献２】特開２００４−１５９２２５号公報
【特許文献３】特開２００５−１８２９０６号公報
【特許文献４】特開２００４−２４８３２０号公報
【発明の開示】
【発明が解決しようとする課題】
【０００５】
ところで、ハードディスク装置と光ディスク装置との複合型記録再生装置では、ＨＤ画質でハードディスクに記録された番組を、光ディスクにムーブ（移動）させる際は、ＨＤ画質のままでは規格上の問題や、ＨＤ画質のデータ量が多いために光ディスクの容量不足が生じるので、ＨＤ画質のままでは光ディスクにムーブさせることができない。したがって、従来の複合型記録再生装置では、編集画面をディスプレイ装置に表示させ、ＨＤ画質をＳＤ画質（アナログ放送による標準画質）に変換する処理を実行させるための操作をリモコンにより行い、更に、変換したＳＤ画質の番組を光ディスクに記録する処理を行う場合の操作もリモコンにより行っているので、ユーザにとっては操作が煩わしいという課題があった。即ち、従来の複合型記録再生装置では、ハードディスクに記録されたＨＤ画質の番組を光ディスクに記録する際は、ユーザがリモコンによる手動操作でＨＤ画質の映像音声信号の情報（ＨＤストリーム）をＳＤ画質の映像音声信号の情報（ＳＤストリーム）へ変換し、且つ手動操作で光ディスクにＳＤ画質のデータを記録するしかなかったので、ユーザにとっては操作が煩わしいという課題があった。
【０００６】
なお、特許文献１の従来技術では、ＨＤストリームをＳＤストリームに変換してハードディスクにスクランブルデータと共に記録するようにしているが、このような変換および記録の処理は、ユーザから見て装置の電源がオンされている間に行われるので、ユーザが所望する他の操作には応答できず、ユーザにとっては使い勝手が劣っているという課題が生じる。
【０００７】
特許文献２の従来技術では、デジタル放送チューナから出力されたトランスポートストリーム（ＴＳ）形式の信号をＴＳ形式でハードディスクに記録し、ハードディスクに記録されたＴＳ形式の信号を再生してＨＤ−ＳＤ変換器に入力し、変換されたＳＤ信号をプログラムストリーム（ＰＳ）形式の信号に変換してＤＶＤに記録するようにしているが、このような変換および記録の処理は、ユーザから見て装置の電源がオンされている間に行われるので、ユーザが所望する他の操作には応答できず、ユーザにとっては使い勝手が劣っているという課題が生じる。
【０００８】
特許文献３の従来技術では、ＨＤデジタル放送をハードディスクに記録するときに、ＨＤモードそのものと、ＳＤモードにダウンコンバートしながらハードディスクに記録するようにしているが、このような変換（ダウンコンバート）および記録の処理は、ユーザから見て装置の電源がオンされている間に行われるので、ユーザが所望する他の操作には応答できず、ユーザにとっては使い勝手が劣っているという課題が生じる。
【０００９】
特許文献４の従来技術は、カメラ一体型ＶＴＲに関するものであり、ハードディスクに記録されたＨＤ画質の番組を光ディスクにムーブする際に、ＨＤ画質からＳＤ画質に変換する処理については開示されていない。
【００１０】
本発明は、上記のような課題を解決するためになされたもので、ハードディスクに記録された高画質の情報を光ディスクに記録する際に実行する光画質から標準画質への変換処理を装置の電源オフ時に自動的に行うことができるようにする複合型記録再生装置を提供することを目的とする。また、本発明は、ハードディスクに記録された高画質の情報を光ディスクに記録する際に実行する高画質から標準画質への変換処理を、装置の電源がオフ状態の時で、且つ設定された日時に自動的に行うことができるようにする複合型記録再生装置を提供することを目的とする。また、本発明は、ハードディスクに記録された高画質の情報を光ディスクに記録する際に実行する高画質から標準画質への変換処理を、装置の電源がオフ状態の時で、且つ設定された日時に自動的に行って、前記変換された標準画質の情報を光ディスクまたはハードディスクに記録することができるようにする複合型記録再生装置を提供することを目的とする。
【課題を解決するための手段】
【００１１】
上記目的を達成するために、請求項１の発明は、録画予約の操作がされたときに高画質と標準画質との両方を選択する項目を含む録画予約メニュー画面をディスプレイ装置に表示させる録画予約メニュー画面表示手段と、前記録画予約メニュー画面から高画質と標準画質との両方を選択する項目が選択された場合に、光ディスクに対する記録フォーマットを設定して現在日時が録画予約日時になったとき前記デジタルチューナで選局された番組の高画質の映像信号および音声信号の情報をハードディスクに記録させる制御を行う高画質記録制御手段と、前記高画質の映像信号および音声信号の情報がハードディスクに記録された後、装置の電源がオン状態であるかオフ状態であるかを判定する電源状態判定手段と、前記電源がオフ状態であると判定されたときに、画質変換回路に対して高画質から標準画質への変換を実行させる制御を行う画質変換制御手段とを有するシステムコントローラを備えたことを特徴とする複合型記録再生装置を提供する。
【００１２】
この構成において、録画予約の操作が行われると、録画予約メニュー画面表示手段は、録画予約の操作を検知し、録画予約メニュー画面をディスプレイ装置に表示させる。ここで、録画予約メニュー画面を見たユーザにより、高画質と標準画質との両方を選択する項目が選択されると、高画質記録制御手段は、光ディスクに対する記録フォーマットを設定し、現在日時が録画予約日時になったことを検知したときに、デジタルチューナで選局された番組の高画質の映像信号および音声信号の情報を高画質でハードディスクに記録させる制御を行う。この結果、デジタルチューナで選局された番組の高画質の映像信号および音声信号の情報は、高画質でハードディスクに記録される。
【００１３】
このようにして高画質の映像信号および音声信号の情報がハードディスクに記録された後、電源状態判定手段は、装置の電源がオン状態であるかオフ状態であるかを判定する。録画予約による予約録画が終了して、装置の電源がオフ状態になったと判定されたとき、画質変換制御手段は、画質変換回路に対して高画質から標準画質への変換を実行させる制御を行う。この結果、デジタルチューナで選局された番組の高画質の映像信号および音声信号の情報は、高画質から標準画質へ変換される。
【００１４】
この構成によれば、ハードディスクに記録された高画質の映像信号および音声信号の情報を標準画質の映像信号および音声信号の情報に変換するタイミングを、装置の電源オフ時（ユーザから見れば電源がオフされた時）にすることで、ユーザが装置を使用していない間に自動的に、ハードディスクに記録されている高画質の映像信号および音声信号の情報から標準画質の映像信号および音声信号の情報に変換することができ、これにより、ユーザは高画質から標準画質への変換作業の時間的な無駄を省くことができる。
【００１５】
即ち、この構成によれば、ハードディスクに記録されている高画質の映像信号および音声信号の情報から標準画質の映像信号および音声信号の情報に変換する処理を実行させるための操作を行う必要がないので、ユーザにとっては、高画質から標準画質への変換作業の時間的な無駄を省くことができる。また、このような変換処理は、ユーザから見て装置の電源がオフされている間に行われるので、装置の電源がオン状態になっているときは、ユーザが所望する他の操作を行うことが可能で、ユーザにとっては使い勝手が向上する。
【００１６】
請求項２の発明は、録画予約の操作がされたときに高画質と標準画質との両方を選択する項目を含む録画予約メニュー画面をディスプレイ装置に表示させる録画予約メニュー画面表示手段と、前記録画予約メニュー画面から高画質と標準画質との両方を選択する項目が選択された場合に、光ディスクに対する記録フォーマットを設定して現在日時が録画予約日時になったとき前記デジタルチューナで選局された番組の高画質の映像信号および音声信号の情報をハードディスクに記録させる制御を行う高画質記録制御手段と、前記ハードディスクに記録された高画質の映像信号および音声信号の情報を標準画質の映像信号および音声信号の情報に変換する日時がメモリに設定されたか否かを判定する画質変換日時判定手段と、前記変換する日時が設定されたと判定された場合に、装置の電源がオン状態であるかオフ状態であるかを判定する電源状態判定手段と、前記電源がオフ状態であると判定され、現在日時が前記設定された変換日時になったときに、画質変換回路に対して高画質から標準画質への変換を実行させる制御を行う画質変換制御手段とを有するシステムコントローラを備えたことを特徴とする複合型記録再生装置を提供する。
【００１７】
この構成において、録画予約の操作が行われると、録画予約メニュー画面表示手段は、録画予約の操作を検知し、録画予約メニュー画面をディスプレイ装置に表示させる。ここで、録画予約メニュー画面を見たユーザにより、高画質と標準画質との両方を選択する項目が選択されると、高画質記録制御手段は、光ディスクに対する記録フォーマットを設定し、現在日時が録画予約日時になったことを検知したときに、デジタルチューナで選局された番組の高画質の映像信号および音声信号の情報を高画質でハードディスクに記録させる制御を行う。この結果、デジタルチューナで選局された番組の高画質の映像信号および音声信号の情報は、高画質でハードディスクに記録される。
【００１８】
このようにして高画質の映像信号および音声信号の情報がハードディスクに記録された後、画質変換日時判定手段は、ハードディスクに記録された高画質の映像信号および音声信号の情報を標準画質の映像信号および音声信号の情報に変換する日時が設定されたか否かを判定する。変換日時が設定された場合には、電源状態判定手段は、装置の電源がオン状態であるかオフ状態であるかを判定する。録画予約による予約録画が終了して、装置の電源がオフ状態になったと判定されたとき、画質変換制御手段は、画質変換回路に対して高画質から標準画質への変換を実行させる制御を行う。この結果、デジタルチューナで選局された番組の高画質の映像信号および音声信号の情報は、高画質から標準画質へ変換される。
【００１９】
この構成によれば、ハードディスクに記録された高画質の映像信号および音声信号の情報を標準画質の映像信号および音声信号の情報に変換するタイミングの日時をユーザにより設定することができ、且つ装置の電源がオフ状態の時（ユーザから見れば電源がオフされている時）に高画質から標準画質への変換を行うことができるので、ユーザが装置を使用していない間に自動的に、ハードディスクに記録されている高画質の映像信号および音声信号の情報から標準画質の映像信号および音声信号の情報に変換することができ、これにより、ユーザは高画質から標準画質への変換作業の時間的な無駄を省くことができる。
【００２０】
即ち、この構成によれば、高画質から標準画質へ変換させる日にちと時間帯を予めユーザに設定させ、その変換を装置の電源がオフ状態の時に実行させるようにしているので、ユーザの操作を制限することなく効率的に高画質から標準画質への自動変換を行うことができ、これにより、ユーザは高画質から標準画質への変換作業の時間的な無駄を省くことができる。要するに、この構成によれば、ハードディスクに記録された高画質の映像信号および音声信号の情報を標準画質の映像信号および音声信号の情報に変換するタイミングの日時を設定し、このタイミングを装置の電源がオフ状態の時（ユーザから見れば電源がオフされている時）にすることで、ユーザが装置を使用していない間に自動的に、ハードディスクに記録されている高画質の映像信号および音声信号の情報から標準画質の映像信号および音声信号の情報に変換することができ、これにより、ユーザは高画質から標準画質への変換作業の時間的な無駄を省くことができる。
【００２１】
したがって、この構成によれば、ハードディスクに記録されている高画質の映像信号および音声信号の情報から標準画質の映像信号および音声信号の情報に変換する処理を実行させるための操作を行う必要がないので、ユーザにとっては、高画質から標準画質への変換作業の時間的な無駄を省くことができる。また、このような変換処理は、ユーザから見て装置の電源がオフされている間でユーザが設定した時間帯で行われるので、装置の電源がオン状態になっているときは、ユーザが所望する他の操作を行うことが可能で、ユーザにとっては使い勝手が向上する。
【００２２】
請求項３の発明は、録画予約の操作がされたときに高画質と標準画質との両方を選択する項目を含む録画予約メニュー画面をディスプレイ装置に表示させる録画予約メニュー画面表示手段と、前記録画予約メニュー画面から高画質と標準画質との両方を選択する項目が選択された場合に、光ディスクに対する記録フォーマットを設定して現在日時が録画予約日時になったとき前記デジタルチューナで選局された番組の高画質の映像信号および音声信号の情報をハードディスクに記録させる制御を行う高画質記録制御手段と、前記ハードディスクに記録された高画質の映像信号および音声信号の情報を標準画質の映像信号および音声信号の情報に変換する日時がメモリに設定されたか否かを判定する画質変換日時判定手段と、前記変換する日時が設定されたと判定された場合に、装置の電源がオン状態であるかオフ状態であるかを判定する電源状態判定手段と、前記電源がオフ状態であると判定され、現在日時が前記設定された変換日時になったときに、画質変換回路に対して高画質から標準画質への変換を実行させる制御を行う画質変換制御手段と、前記変換された標準画質の映像信号および音声信号の情報を光ディスクまたはハードディスクに記録させる制御を行う標準画質記録制御手段と、前記変換された標準画質の映像信号および音声信号の情報が光ディスクまたはハードディスクに記録されたときに、前記高画質の映像信号および音声信号の情報をハードディスクから消去させる制御を行う高画質消去制御手段とを有するシステムコントローラを備えたことを特徴とする複合型記録再生装置を提供する。
【００２３】
この構成において、録画予約の操作が行われると、録画予約メニュー画面表示手段は、録画予約の操作を検知し、録画予約メニュー画面をディスプレイ装置に表示させる。ここで、録画予約メニュー画面を見たユーザにより、高画質と標準画質との両方を選択する項目が選択されると、高画質記録制御手段は、光ディスクに対する記録フォーマットを設定し、現在日時が録画予約日時になったことを検知したときに、デジタルチューナで選局された番組の高画質の映像信号および音声信号の情報を高画質でハードディスクに記録させる制御を行う。この結果、デジタルチューナで選局された番組の高画質の映像信号および音声信号の情報は、高画質でハードディスクに記録される。
【００２４】
このようにして高画質の映像信号および音声信号の情報がハードディスクに記録された後、画質変換日時判定手段は、ハードディスクに記録された高画質の映像信号および音声信号の情報を標準画質の映像信号および音声信号の情報に変換する日時が設定されたか否かを判定する。変換日時が設定された場合には、電源状態判定手段は、装置の電源がオン状態であるかオフ状態であるかを判定する。録画予約による予約録画が終了して、装置の電源がオフ状態になったと判定されたとき、画質変換制御手段は、画質変換回路に対して高画質から標準画質への変換を実行させる制御を行う。この結果、デジタルチューナで選局された番組の高画質の映像信号および音声信号の情報は、高画質から標準画質へ変換される。そして、標準画質記録制御手段は、前記変換された標準画質の映像信号および音声信号の情報を光ディスクまたはハードディスクに記録させる制御を行う。これにより、標準画質の映像信号および音声信号の情報が、光ディスクまたはハードディスクに記録される。また、変換された標準画質の映像信号および音声信号の情報が光ディスクまたはハードディスクに記録されたときに、高画質の映像信号および音声信号の情報がハードディスクから消去される。
【００２５】
この構成によれば、ハードディスクに記録された高画質の映像信号および音声信号の情報を標準画質の映像信号および音声信号の情報に変換するタイミングの日時をユーザにより設定することができ、且つ装置の電源がオフ状態の時（ユーザから見れば電源がオフされている時）に高画質から標準画質への変換を行うことができるようにタイミングを設定できるので、ユーザが装置を使用していない間に自動的に、ハードディスクに記録されている高画質の映像信号および音声信号の情報から標準画質の映像信号および音声信号の情報に変換して光ディスクまたはハードディスクに記録することができ、これにより、ユーザは高画質から標準画質への変換作業および光ディスクまたはハードディスクへの記録作業の時間的な無駄を省くことができる。
【００２６】
即ち、この構成によれば、高画質から標準画質へ変換させる日にちと時間帯を予めユーザに設定させ、その変換、および光ディスクまたはハードディスクへの記録を装置の電源がオフ状態の時に実行させるようにしているので、ユーザの操作を制限することなく効率的に高画質から標準画質への自動変換、および光ディスクまたはハードディスクへの自動記録を行うことができ、これにより、ユーザは高画質から標準画質への変換作業の時間的な無駄を省くことができる。要するに、この構成によれば、ハードディスクに記録された高画質の映像信号および音声信号の情報を標準画質の映像信号および音声信号の情報に変換するタイミングの日時を設定し、このタイミングを装置の電源がオフ状態の時（ユーザから見れば電源がオフされている時）にすることで、ユーザが装置を使用していない間に自動的に、ハードディスクに記録されている高画質の映像信号および音声信号の情報から標準画質の映像信号および音声信号の情報に変換して、光ディスクまたはハードディスクに記録することができ、これにより、ユーザは高画質から標準画質への変換作業および記録作業の時間的な無駄を省くことができる。
【００２７】
したがって、この構成によれば、ハードディスクに記録されている高画質の映像信号および音声信号の情報から標準画質の映像信号および音声信号の情報に変換する処理、および光ディスクまたはハードディスクに記録する処理を実行させるための操作を行う必要がないので、ユーザにとっては、高画質から標準画質への変換作業および記録作業の時間的な無駄を省くことができる。また、このような変換処理および記録処理は、ユーザから見て装置の電源がオフされている間でユーザが設定した時間帯で行われるので、装置の電源がオン状態になっているときは、ユーザが所望する他の操作を行うことが可能で、ユーザにとっては使い勝手が向上する。
【００２８】
また、変換された標準画質の映像信号および音声信号の情報が光ディスクまたはハードディスクに記録されたときに、高画質の映像信号および音声信号の情報をハードディスクから消去させるので、ハードディスクは容量不足になるようなことを防ぐことができる。
【００２９】
請求項４の発明は、高画質の映像信号および音声信号の情報がハードディスクに記録された後、装置の電源がオフ状態であると判定されたときに、画質変換回路に対して高画質から標準画質への変換を実行させる制御を行うシステムコントローラを備えたことを特徴とする複合型記録再生装置を提供する。
【００３０】
この構成において、高画質の映像信号および音声信号の情報がハードディスクに記録された後、装置の電源がオフされ、オフ状態であると判定されたときに、システムコントローラは、画質変換回路に対して高画質から標準画質への変換を実行させる制御を行う。この結果、デジタルチューナで選局された番組の高画質の映像信号および音声信号の情報は、高画質から標準画質へ変換される。
【００３１】
この構成によれば、ハードディスクに記録された高画質の映像信号および音声信号の情報を標準画質の映像信号および音声信号の情報に変換するタイミングが、装置の電源オフ時（ユーザから見れば電源がオフされた時）になるので、ユーザが装置を使用していない間に自動的に、ハードディスクに記録されている高画質の映像信号および音声信号の情報から標準画質の映像信号および音声信号の情報に変換することができ、これにより、ユーザは高画質から標準画質への変換作業の時間的な無駄を省くことができる。
【００３２】
即ち、この構成によれば、ハードディスクに記録されている高画質の映像信号および音声信号の情報から標準画質の映像信号および音声信号の情報に変換する処理を実行させるための操作を行う必要がないので、ユーザにとっては、高画質から標準画質への変換作業の時間的な無駄を省くことができる。また、このような変換処理は、ユーザから見て装置の電源がオフされている間に行われるので、装置の電源がオン状態になっているときは、ユーザが所望する他の操作を行うことが可能で、ユーザにとっては使い勝手が向上する。
【００３３】
請求項５の発明は、ハードディスクに記録された高画質の映像信号および音声信号の情報を標準画質の映像信号および音声信号の情報に変換する日時が設定されたと判定された場合に、電源がオフ状態であると判定され、現在日時が前記設定された変換日時になったときに、画質変換回路に対して高画質から標準画質への変換を実行させる制御を行うシステムコントローラを備えたことを特徴とする複合型記録再生装置を提供する。
【００３４】
この構成において、システムコントローラは、ハードディスクに記録された高画質の映像信号および音声信号の情報を標準画質の映像信号および音声信号の情報に変換する日時が設定されたと判定し、電源がオフ状態であると判定した場合に、現在日時が前記設定された変換日時になったときに、画質変換回路に対して高画質から標準画質への変換を実行させる制御を行う。この結果、デジタルチューナで選局された番組の高画質の映像信号および音声信号の情報は、高画質から標準画質へ変換される。
【００３５】
この構成によれば、ハードディスクに記録された高画質の映像信号および音声信号の情報を標準画質の映像信号および音声信号の情報に変換するタイミングの日時をユーザにより設定することができ、且つ装置の電源がオフ状態の時（ユーザから見れば電源がオフされている時）に高画質から標準画質への変換を行うことができるようにタイミングを設定できるので、ユーザが装置を使用していない間に自動的に、ハードディスクに記録されている高画質の映像信号および音声信号の情報から標準画質の映像信号および音声信号の情報に変換することができ、これにより、ユーザは高画質から標準画質への変換作業の時間的な無駄を省くことができる。
【００３６】
即ち、この構成によれば、高画質から標準画質へ変換させる日にちと時間帯を予めユーザに設定させ、その変換を装置の電源がオフ状態の時に実行させるようにしているので、ユーザの操作を制限することなく効率的に高画質から標準画質への自動変換を行うことができ、これにより、ユーザは高画質から標準画質への変換作業の時間的な無駄を省くことができる。要するに、この構成によれば、ハードディスクに記録された高画質の映像信号および音声信号の情報を標準画質の映像信号および音声信号の情報に変換するタイミングの日時を設定し、このタイミングを装置の電源がオフ状態の時（ユーザから見れば電源がオフされている時）にすることで、ユーザが装置を使用していない間に自動的に、ハードディスクに記録されている高画質の映像信号および音声信号の情報から標準画質の映像信号および音声信号の情報に変換することができ、これにより、ユーザは高画質から標準画質への変換作業の時間的な無駄を省くことができる。
【００３７】
したがって、この構成によれば、ハードディスクに記録されている高画質の映像信号および音声信号の情報から標準画質の映像信号および音声信号の情報に変換する処理を実行させるための操作を行う必要がないので、ユーザにとっては、高画質から標準画質への変換作業の時間的な無駄を省くことができる。また、このような変換処理は、ユーザから見て装置の電源がオフされている間でユーザが設定した時間帯で行われるので、装置の電源がオン状態になっているときは、ユーザが所望する他の操作を行うことが可能で、ユーザにとっては使い勝手が向上する。
【００３８】
請求項６の発明は、ハードディスクに記録された高画質の映像信号および音声信号の情報を標準画質の映像信号および音声信号の情報に変換する日時が設定されたと判定された場合に、電源がオフ状態であると判定され、現在日時が前記設定された変換日時になったときに、画質変換回路に対して高画質から標準画質への変換を実行させ、前記変換された標準画質の映像信号および音声信号の情報を光ディスクまたはハードディスクに記録させる制御を行うシステムコントローラを備えたことを特徴とする複合型記録再生装置を提供する。
【００３９】
この構成において、システムコントローラは、ハードディスクに記録された高画質の映像信号および音声信号の情報を標準画質の映像信号および音声信号の情報に変換する日時が設定されたと判定し、電源がオフ状態であると判定した場合に、現在日時が前記設定された変換日時になったときに、画質変換回路に対して高画質から標準画質への変換を実行させ、前記変換された標準画質の映像信号および音声信号の情報を光ディスクまたはハードディスクに記録させる制御を行う。この結果、デジタルチューナで選局された番組の高画質の映像信号および音声信号の情報は、高画質でハードディスクに記録される。
【００４０】
この構成によれば、ハードディスクに記録された高画質の映像信号および音声信号の情報を標準画質の映像信号および音声信号の情報に変換するタイミングの日時をユーザにより設定することができ、且つ装置の電源がオフ状態の時（ユーザから見れば電源がオフされている時）に高画質から標準画質への変換を行うことができるようにタイミングを設定できるので、ユーザが装置を使用していない間に自動的に、ハードディスクに記録されている高画質の映像信号および音声信号の情報から標準画質の映像信号および音声信号の情報に変換して光ディスクまたはハードディスクに記録することができ、これにより、ユーザは高画質から標準画質への変換作業および光ディスクまたはハードディスクへの記録作業の時間的な無駄を省くことができる。
【００４１】
即ち、この構成によれば、高画質から標準画質へ変換させる日にちと時間帯を予めユーザに設定させ、その変換、および光ディスクまたはハードディスクへの記録を装置の電源がオフ状態の時に実行させるようにしているので、ユーザの操作を制限することなく効率的に高画質から標準画質への自動変換、および光ディスクまたはハードディスクへの自動記録を行うことができ、これにより、ユーザは高画質から標準画質への変換作業の時間的な無駄を省くことができる。要するに、この構成によれば、ハードディスクに記録された高画質の映像信号および音声信号の情報を標準画質の映像信号および音声信号の情報に変換するタイミングの日時を設定し、このタイミングを装置の電源がオフ状態の時（ユーザから見れば電源がオフされている時）にすることで、ユーザが装置を使用していない間に自動的に、ハードディスクに記録されている高画質の映像信号および音声信号の情報から標準画質の映像信号および音声信号の情報に変換して、光ディスクまたはハードディスクに記録することができ、これにより、ユーザは高画質から標準画質への変換作業および記録作業の時間的な無駄を省くことができる。
【００４２】
したがって、この構成によれば、ハードディスクに記録されている高画質の映像信号および音声信号の情報から標準画質の映像信号および音声信号の情報に変換する処理、および光ディスクまたはハードディスクに記録する処理を実行させるための操作を行う必要がないので、ユーザにとっては、高画質から標準画質への変換作業および記録作業の時間的な無駄を省くことができる。また、このような変換処理および記録処理は、ユーザから見て装置の電源がオフされている間でユーザが設定した時間帯で行われるので、装置の電源がオン状態になっているときは、ユーザが所望する他の操作を行うことが可能で、ユーザにとっては使い勝手が向上する。
【００４３】
請求項７の発明では、請求項４の発明において、前記システムコントローラは、録画予約の操作がされたときに高画質と標準画質との両方を選択する項目を含む録画予約メニュー画面をディスプレイ装置に表示させる録画予約メニュー画面表示手段と、前記録画予約メニュー画面から高画質と標準画質との両方を選択する項目が選択された場合に、光ディスクに対する記録フォーマットを設定して現在日時が録画予約日時になったとき前記デジタルチューナで選局された番組の高画質の映像信号および音声信号の情報をハードディスクに記録させる制御を行う高画質記録制御手段と、前記高画質の映像信号および音声信号の情報がハードディスクに記録された後、装置の電源がオン状態であるかオフ状態であるかを判定する電源状態判定手段と、前記電源がオフ状態であると判定されたときに、画質変換回路に対して高画質から標準画質への変換を実行させる制御を行う画質変換制御手段とを有する。
【００４４】
したがって、前記システムコントローラは、録画予約メニュー画面表示処理、高画質記録制御処理、電源状態判定処理、および画質変換制御処理を実現でき、これにより、ユーザが装置を使用していない間に自動的に、ハードディスクに記録されている高画質の映像信号および音声信号の情報を標準画質の映像信号および音声信号の情報に変換することが可能になる。
【００４５】
請求項８の発明では、請求項５の発明において、前記システムコントローラは、録画予約の操作がされたときに高画質と標準画質との両方を選択する項目を含む録画予約メニュー画面をディスプレイ装置に表示させる録画予約メニュー画面表示手段と、前記録画予約メニュー画面から高画質と標準画質との両方を選択する項目が選択された場合に、光ディスクに対する記録フォーマットを設定して現在日時が録画予約日時になったとき前記デジタルチューナで選局された番組の高画質の映像信号および音声信号の情報をハードディスクに記録させる制御を行う高画質記録制御手段と、前記ハードディスクに記録された高画質の映像信号および音声信号の情報を標準画質の映像信号および音声信号の情報に変換する日時がメモリに設定されたか否かを判定する画質変換日時判定手段と、前記変換する日時が設定されたと判定された場合に、装置の電源がオン状態であるかオフ状態であるかを判定する電源状態判定手段と、前記電源がオフ状態であると判定され、現在日時が前記設定された変換日時になったときに、画質変換回路に対して高画質から標準画質への変換を実行させる制御を行う画質変換制御手段とを有する。
【００４６】
したがって、前記システムコントローラは、録画予約メニュー画面表示処理、高画質記録制御処理、画質変換日時判定処理、電源状態判定処理、および画質変換制御処理を実現でき、これにより、ユーザが装置を使用していない間に自動的に、ハードディスクに記録されている高画質の映像信号および音声信号の情報を標準画質の映像信号および音声信号の情報に変換することが可能になる。
【００４７】
請求項９の発明では、請求項６の発明において、前記システムコントローラは、録画予約の操作がされたときに高画質と標準画質との両方を選択する項目を含む録画予約メニュー画面をディスプレイ装置に表示させる録画予約メニュー画面表示手段と、前記録画予約メニュー画面から高画質と標準画質との両方を選択する項目が選択された場合に、光ディスクに対する記録フォーマットを設定して現在日時が録画予約日時になったとき前記デジタルチューナで選局された番組の高画質の映像信号および音声信号の情報をハードディスクに記録させる制御を行う高画質記録制御手段と、前記ハードディスクに記録された高画質の映像信号および音声信号の情報を標準画質の映像信号および音声信号の情報に変換する日時がメモリに設定されたか否かを判定する画質変換日時判定手段と、前記変換する日時が設定されたと判定された場合に、装置の電源がオン状態であるかオフ状態であるかを判定する電源状態判定手段と、前記電源がオフ状態であると判定され、現在日時が前記設定された変換日時になったときに、画質変換回路に対して高画質から標準画質への変換を実行させる制御を行う画質変換制御手段と、前記変換された標準画質の映像信号および音声信号の情報を光ディスクまたはハードディスクに記録させる制御を行う標準画質記録制御手段とを有する。
【００４８】
したがって、システムコントローラは、録画予約メニュー画面表示処理、高画質記録制御処理、画質変換日時判定処理、電源状態判定処理、画質変換制御処理、および標準画質記録制御処理を実現でき、これにより、ユーザが装置を使用していない間に自動的に、ハードディスクに記録されている高画質の映像信号および音声信号の情報を標準画質の映像信号および音声信号の情報に変換して光ディスクまたはハードディスクに記録することが可能になる。
【００４９】
請求項１０の発明では、請求項９の発明において、前記システムコントローラは、前記変換された標準画質の映像信号および音声信号の情報が光ディスクまたはハードディスクに記録されたときに、前記高画質の映像信号および音声信号の情報をハードディスクから消去させる制御を行う高画質消去制御手段を有するので、ハードディスクは容量不足になるようなことを防ぐことができる。
【発明の効果】
【００５０】
以上のように本発明によれば、高画質の映像信号および音声信号の情報がハードディスクに記録された後、装置の電源がオフ状態であると判定されたときに、画質変換回路に対して高画質から標準画質への変換を実行させる制御を行うシステムコントローラを備えたので、ユーザが装置を使用していない間に自動的に、ハードディスクに記録されている高画質の映像信号および音声信号の情報を標準画質の映像信号および音声信号の情報に変換することができ、これにより、ユーザは高画質から標準画質への変換作業の時間的な無駄を省くことができる。また、変換処理は、ユーザから見て装置の電源がオフされている間に行われるので、装置の電源がオン状態になっているときは、ユーザが所望する他の操作を行うことが可能で、ユーザにとっては使い勝手が向上する。
【００５１】
また、本発明によれば、ハードディスクに記録された高画質の映像信号および音声信号の情報を標準画質の映像信号および音声信号の情報に変換する日時が設定されたと判定された場合に、電源がオフ状態であると判定され、現在日時が前記設定された変換日時になったときに、画質変換回路に対して高画質から標準画質への変換を実行させる制御を行うシステムコントローラを備えたので、ユーザが装置を使用していない間に自動的に、ハードディスクに記録されている高画質の映像信号および音声信号の情報から標準画質の映像信号および音声信号の情報に変換することができ、これにより、ユーザは高画質から標準画質への変換作業の時間的な無駄を省くことができる。また、変換処理は、ユーザから見て装置の電源がオフされている間でユーザが設定した時間帯で行われるので、装置の電源がオン状態になっているときは、ユーザが所望する他の操作を行うことが可能で、ユーザにとっては使い勝手が向上する。
【００５２】
また、本発明によれば、ハードディスクに記録された高画質の映像信号および音声信号の情報を標準画質の映像信号および音声信号の情報に変換する日時が設定されたと判定された場合に、電源がオフ状態であると判定され、現在日時が前記設定された変換日時になったときに、画質変換回路に対して高画質から標準画質への変換を実行させ、前記変換された標準画質の映像信号および音声信号の情報を光ディスクまたはハードディスクに記録させる制御を行うシステムコントローラを備えたので、ユーザが装置を使用していない間に自動的に、ハードディスクに記録されている高画質の映像信号および音声信号の情報から標準画質の映像信号および音声信号の情報に変換して光ディスクまたはハードディスクに記録することができ、これにより、ユーザは高画質から標準画質への変換作業および光ディスクまたはハードディスクへの記録作業の時間的な無駄を省くことができる。また、変換処理および記録処理は、ユーザから見て装置の電源がオフされている間でユーザが設定した時間帯で行われるので、装置の電源がオン状態になっているときは、ユーザが所望する他の操作を行うことが可能で、ユーザにとっては使い勝手が向上する。
【発明を実施するための最良の形態】
【００５３】
以下、添付図面を参照しつつ、本発明の実施の形態について説明する。図１は本発明の第１の実施形態に係る複合型記録再生装置の構成を示すブロック図である。
【００５４】
図１において、この複合型記録再生装置１は、ハードディスク１および光ディスク２に対してそれぞれ映像音声情報を記録／再生が可能に構成されており、ハードディスク装置としてのハードディスクドライブ３、光ディスク装置としての光ディスクドライブ４、ＨＤ（Ｈｉｇｈ  Ｄｅｆｉｎｉｔｉｏｎ  ；高画質）デコーダ５、ダウンコンバータ６、ＳＤ（Ｓｔａｎｄａｒｄ  Ｄｅｆｉｎｉｔｉｏｎ  ；標準画質）エンコーダ７、ＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）回路８、キーメモリ９，１０、ＳＤデコーダ１１、スクランブル回路１２、バッファメモリ１３、ＨＤデコーダ１４、デスクランブル回路１５、デジタルチューナ１６、フラッシュメモリ１８、リモコン１９、受光部２０、ＯＳＤ回路２１、およびシステムコントローラ２２を備えている。
【００５５】
ハードディスクドライブ３はハードディスク１に対して映像音声情報を記録／再生するものであり、光ディスクドライブ４は光ディスク２に対して映像音声情報を記録／再生するものである。ＨＤデコーダ５，１４は、ＭＰＥＧ方式で圧縮（エンコード）されているＨＤストリームを復号（デコード）するものである。ダウンコンバータ６は、ＨＤサイズ（１９２０画素×１０８０画素）の映像に係るＨＤ映像データをＳＤサイズ（７２０画素×４８０画素）の映像に係るＳＤデータに変換する画質変換回路である。ＳＤエンコーダ７は、ダウンコンバータ６により変換されて出力されたＳＤサイズの映像に係るＳＤデータに対してＭＰＥＧ方式で圧縮（エンコード）し、ＳＤストリームを生成するものである。
【００５６】
ＣＰＲＭ回路８は、ＣＰＲＭに従ってコピー防止のために光ディスク２に記録される各種データの暗号化および復号化を行うものである。キーメモリ１０またはキーメモリ９は、ＨＤストリームのスクランブル処理またはスクランブルデータのデスクランブル処理に用いられるスクランブルキーを格納するものである。なお、スクランブル処理とは、所定の映像および音声を示すコンテンツ情報を、当該所定の映像および音声を単体では示すことができない情報、即ちスクランブル情報へと変換する処理のことを言う。即ち、スクランブル情報は、それ自体がコンテンツ情報を示す情報ではなく、スクランブルキーと共にデータ処理などをすることで、初めて各種映像や音声などを示す情報となる。したがって、スクランブル情報が生成される限りにおいては、コンテンツの著作権を適切に保護することができる。ＳＤデコーダ１１は、ＭＰＥＧ方式で圧縮（エンコード）されているＣＰＲＭ回路８からのＳＤストリームを、復号してＳＤサイズの映像に係るＳＤデータを生成するものである。
【００５７】
デジタルチューナ１６は、図示しないアンテナを介して受信したデジタルハイビジョン放送信号のうちの所望の放送局のデジタルハイビジョン放送信号を選局してＨＤ映像音声信号（ＨＤストリーム）として出力するものである。バッファメモリ１３は、デジタルチューナ１６からのＨＤストリームを一時的に格納できるようになっており、格納しているＨＤストリームを所望のタイミング（例えば、スクランブル回路１２に入力されるキーメモリ１０からのスクランブルキーに応じたタイミング）でスクランブル回路１２に出力可能になっている。
【００５８】
スクランブル回路１２は、キーメモリ１０より読み出されるスクランブルキーに基づいて、バッファメモリ１３より読み取られるＨＤストリームに対してスクランブル処理を施すものである。この結果、スクランブルデータが生成される。デスクランブル回路１５は、キーメモリ９より読み出されるスクランブルキーに基づいて、ハードディスク１から読み取られるスクランブルデータに対してデスクランブル処理を施すものである。このデスクランブル処理とは、スクランブル処理と逆の処理を前記スクランブルデータに対して施す処理であり、この結果、デスクランブル回路１５からはＨＤストリームが生成されてＨＤデコーダ１４に入力され、ＨＤデコーダ１４でデコードされる。ＨＤデコーダ１４からは、ＨＤ画質映像に係るデータがＯＳＤ回路２１に入力され、表示可能な映像信号となって介してディスプレイ装置２３に供給される。したがって、ディスプレイ装置２３には、ハイビジョン映像が表示されることになる。
【００５９】
リモコン１９は、複数の操作キーを有し、赤外線信号により、この複合型記録再生装置を操作するものである。受光部２０は、リモコン１９からの赤外線信号を受光し、この赤外線信号を電気信号に変換してシステムコントローラ２２に与えるものである。システムコントローラ２２は、図示しないＣＰＵなどを含み、ハードディスクドライブ３や光ディスクドライブ４など、装置全体を制御するものである。フラッシュメモリ１８は、システムコントローラ２２の制御や処理に必要なプログラムやデータを記憶するものである。
【００６０】
このシステムコントローラ２２は、第１の実施形態の特徴として、録画予約の操作がされたときに高画質（ＨＤ画質）と標準画質（ＳＤ画質）との両方を選択する項目を含む録画予約メニュー画面をディスプレイ装置２３に表示させる録画予約メニュー画面表示手段２２１と、前記録画予約メニュー画面から高画質と標準画質との両方を選択する項目が選択された場合に、光ディスク２に対する記録フォーマットを設定して現在日時が録画予約日時になったときデジタルチューナ１６で選局された番組の高画質の映像信号および音声信号の情報をハードディスク１に記録させる制御を行う高画質記録制御手段２２２と、前記高画質の映像信号および音声信号の情報がハードディスク１に記録された後、装置の電源がオン状態であるかオフ状態であるかを判定する電源状態判定手段２２４と、前記電源がオフ状態であると判定されたときに、画質変換回路としてのダウンコンバータ６に対して高画質から標準画質への変換を実行させる制御を行う画質変換制御手段２２５とを有する。
【００６１】
図２は第１，第２，第３の実施形態においてディスプレイ装置２３に表示される録画予約メニュー画面の一例を説明するための図である。図２において、録画予約メニュー画面Ａには、番組の録画予約を行う際に番組の録画をＨＤ画質で録画を行うことを選択するためのメッセージ「ＨＤを選択しますか」、番組の録画予約を行う際に番組の録画をＳＤ画質で録画を行うことを選択するためのメッセージ「ＳＤを選択しますか」、番組の録画予約を行う際に録画当初からＨＤとＳＤの両方で記録を行いたい場合に選択するためのメッセージ「ＨＤ＋ＳＤを選択しますか」がそれぞれ表示されており、各メッセージに対応する「はい」をリモコン操作により選択して決定すると、該当するメッセージに対応する内容が実行される。このような録画予約メニュー画面のデータは、フラッシュメモリ１８に予め記憶されている。
【００６２】
図３は第１の実施形態での記録および画質変換に関する制御処理を説明するためのフローチャートである。このフローチャートを参照して第１の実施形態での記録および画質変換に関する制御処理について説明する。
【００６３】
リモコン１９により録画予約の操作が行われると、システムコントローラ２２の録画予約メニュー画面表示手段２２１は、録画予約の操作を検知し（ステップＳ１）、これに応答して、フラッシュメモリ１８から録画予約メニュー画面のデータを読み出し、ＯＳＤ回路２１で録画予約メニュー画面表示信号に変換してディスプレイ装置２３に供給することにより、例えば、図２に示すような録画予約メニュー画面Ａをディスプレイ装置２３に表示させる（ステップＳ２）。
【００６４】
ここで、録画予約メニュー画面Ａを見たユーザが、リモコン１９を操作して、項目「ＨＤ＋ＳＤを選択しますか」の「はい」を選択して決定すると、システムコントローラ２２は、ＨＤ＋ＳＤ画質を選択したことを検知し（ステップＳ３）、次に、システムコントローラ２２の高画質記録制御手段２２２は、光ディスクドライブ４に挿入されている光ディスク２に対する記録フォーマットなどをディスク情報から取得して、フラッシュメモリ１８に設定し（ステップＳ４）、図示しないタイマにより現在日時が録画予約日時になったことを検知したときに、ハードディスクドライブ３を駆動させ、デジタルチューナ１６で選局された番組の高画質の映像信号および音声信号の情報（ＨＤファイル）をＨＤ画質のままでハードディスク１に記録させる制御を行う。これにより、ハードディスクドライブ３は、デジタルチューナ１６で選局された番組の高画質の映像信号および音声信号の情報をＨＤ画質のままでハードディスク１に記録する（ステップＳ５）。
【００６５】
即ち、デジタルチューナ１６からのＨＤストリーム（ＨＤ画質のファイル）は、バッファメモリ１３に一時的に所定量だけ格納された後、所望のタイミングで（スクランブル回路１２に入力されるスクランブルキーの生成、あるいは入力タイミングに合わせて）スクランブル回路１２に入力される。スクランブル回路１２に入力されたＨＤストリームは、キーメモリ１０からのスクランブルキーと排他的論理和などの演算が行われ、ハードディスクドライブ３の駆動によりハードディスク１に記録される。
【００６６】
このようにしてＨＤストリームがハードディスク１に記録された後、システムコントローラ２２の電源状態判定手段２２４は、装置の電源がオン状態であるかオフ状態であるかを判定する（ステップＳ６，Ｓ７）。装置の電源がオン状態である場合とは、ユーザにより設定された録画予約による予約録画が終了しても、装置の電源を切らずに次の操作を行う場合、ここでは、ＨＤ画質からＳＤ画質への変換を行う予約操作を行う場合には、電源がオンされたままとなる。装置の電源がオンされている状態で、ＨＤ画質からＳＤ画質への変換を行う予約操作がリモコン１９により行われると、システムコントローラ２２は、ＨＤ画質からＳＤ画質への変換を行う予約操作を検知し（ステップＳ９）、ＨＤ画質からＳＤ画質への変換を行う予約設定が、フラッシュメモリ１８に対して行われる（ステップＳ１０）。
【００６７】
ユーザにより設定された録画予約による予約録画が終了して、装置の電源がオフ状態になったと判定されたとき（ステップＳ７）、システムコントローラ２２の画質変換制御手段２２５は、ダウンコンバータ６に対してＨＤ画質からＳＤ画質への変換を実行させる制御を行う（ステップＳ８）。即ち、画質変換制御手段２２５は、ハードディスクドライブ３を駆動させ、ハードディスク１からＨＤストリームを読み出して、ＨＤデコーダ５に入力してデコードし、ＨＤデータとし、ダウンコンバータ６に与える。これにより、ダウンコンバータ６からはＳＤデータが出力され、ＳＤエンコーダ７に入力される。この結果、ＳＤエンコーダ７からは、ＳＤストリームが出力される。即ち、ＨＤ画質からＳＤ画質への変換が行われたことになる。なお、ＨＤ画質からＳＤ画質へ変換されたデータは、ハードディスク１や光ディスク２に正式に記録する前に、フラッシュメモリ１８やハードディスク１の空き領域に一時的に格納させておくことにより、保持することができる。なお、電源オフ状態であっても、待機電源がシステムコントローラ２２などに供給されているので、電源がオフ後であっても、所定の処理を行うことができる。
【００６８】
ステップＳ３において、録画予約メニュー画面Ａにおける項目「ＨＤを選択しますか」の「はい」が選択され決定されたとき（ステップＳ１１）、システムコントローラ２２は、光ディスクドライブ４に挿入されている光ディスク２に対する記録フォーマットなどをディスク情報から取得して、フラッシュメモリ１８に設定し（ステップＳ１２）、ハードディスクドライブ３を駆動させ、番組の高画質の映像信号および音声信号の情報をＨＤ画質ままでハードディスク１に記録させる（ステップＳ１３）。即ち、システムコントローラ２２は、デジタルチューナ１６より得られたＨＤストリームを、バッファメモリ１３およびスクランブル回路１２を介してハードディスクドライブ３に入力し、ハードディスクドライブ３を駆動させ、フラッシュメモリ１８から読み出された記録フォーマットに従ってハードディスク１に記録させる。
【００６９】
また、ステップＳ３において、録画予約メニュー画面Ａにおける項目「ＳＤを選択しますか」の「はい」が選択され決定されたとき（ステップＳ１４）、システムコントローラ２２は、光ディスクドライブ４に挿入されている光ディスク２に対する記録フォーマットなどをディスク情報から取得して、フラッシュメモリ１８に設定し（ステップＳ１５）、ハードディスクドライブ３を駆動させ、デジタルチューナ１６で選局した番組をＳＤ画質でハードディスク１に記録させる（ステップＳ１６）。即ち、システムコントローラ２２は、デジタルチューナ１６により得られたＨＤストリームを、ＨＤデコーダ５でＨＤデータにデコードした後、ダウンコンバータ６に入力して、ＳＤデータに変換し、更に、ＳＤエンコーダ７でＳＤストリームにエンコードし、フラッシュメモリ１８から読み出された記録フォーマットに従って、ＳＤエンコーダ７からのＳＤストリームをハードディスク１に記録させる。
【００７０】
以上説明した第１の実施形態によれば、ハードディスクに記録されたＨＤ画質の映像信号および音声信号の情報（ＨＤストリーム）をＳＤ画質の映像信号および音声信号の情報（ＳＤストリーム）に変換するタイミングを、装置の電源オフ時（ユーザから見れば電源がオフされた時）にすることで、ユーザが装置を使用していない間に自動的に、ハードディスクに記録されているＨＤ画質の映像信号および音声信号の情報（ＨＤストリーム）をＳＤ画質の映像信号および音声信号の情報（ＳＤストリーム）に変換することができ、これにより、ユーザはＨＤ画質からＳＤ画質への変換作業の時間的な無駄を省くことができる。
【００７１】
図４は本発明の第２の実施形態に係る複合型記録再生装置の構成を示すブロック図である。図４において、図１に示す構成要素に相当するものには同一の符号を付し、その説明を省略する。
【００７２】
この第２の実施形態のシステムコントローラ２２は、録画予約の操作がされたときに高画質（ＨＤ画質）と標準画質（ＳＤ画質）との両方を選択する項目を含む録画予約メニュー画面をディスプレイ装置２３に表示させる録画予約メニュー画面表示手段２２１と、前記録画予約メニュー画面から高画質と標準画質との両方を選択する項目が選択された場合に、光ディスク２に対する記録フォーマットを設定して現在日時が録画予約日時になったときデジタルチューナ１６で選局された番組の高画質の映像信号および音声信号の情報をハードディスク１に記録させる制御を行う高画質記録制御手段２２２と、ハードディスク１に記録された高画質の映像信号および音声信号の情報を標準画質の映像信号および音声信号の情報に変換する日時がフラッシュメモリ１８に設定されたか否かを判定する画質変換日時判定手段２２３と、前記変換する日時が設定されたと判定された場合に、装置の電源がオン状態であるかオフ状態であるかを判定する電源状態判定手段２２４と、前記電源がオフ状態であると判定され、現在日時が前記設定された変換日時になったときに、画質変換回路としてのダウンコンバータ６に対して高画質から標準画質への変換を実行させる制御を行う画質変換制御手段２２５とを有する。
【００７３】
図５は第２の実施形態での記録および画質変換に関する制御処理を説明するためのフローチャートである。このフローチャートを参照して第２の実施形態での記録および画質変換に関する制御処理について説明する。
【００７４】
リモコン１９により録画予約の操作が行われると、システムコントローラ２２の録画予約メニュー画面表示手段２２１は、録画予約の操作を検知し（ステップＮ１）、これに応答して、フラッシュメモリ１８から録画予約メニュー画面のデータを読み出し、ＯＳＤ回路２１で録画予約メニュー画面表示信号に変換してディスプレイ装置２３に供給ことにより、例えば、図２に示すような録画予約メニュー画面Ａをディスプレイ装置２３に表示させる（ステップＮ２）。
【００７５】
ここで、録画予約メニュー画面Ａを見たユーザが、リモコン１９を操作して、項目「ＨＤ＋ＳＤを選択しますか」の「はい」を選択して決定すると、システムコントローラ２２は、ＨＤ＋ＳＤ画質を選択したことを検知し（ステップＮ３）、次に、システムコントローラ２２の高画質記録制御手段２２２は、光ディスクドライブ４に挿入されている光ディスク２に対する記録フォーマットなどをディスク情報から取得して、フラッシュメモリ１８に設定し（ステップＮ４）、図示しないタイマにより現在日時が録画予約日時になったことを検知したときに、ハードディスクドライブ３を駆動させ、デジタルチューナ１６で選局された番組の高画質の映像信号および音声信号の情報をＨＤ画質のままでハードディスク１に記録させる制御を行う。これにより、ハードディスクドライブ３は、デジタルチューナ１６で選局された番組の高画質の映像信号および音声信号の情報をＨＤ画質のままでハードディスク１に記録する（ステップＮ５）。
【００７６】
即ち、デジタルチューナ１６からのＨＤストリームは、バッファメモリ１３に一時的に所定量だけ格納された後、所望のタイミングで（スクランブル回路１２に入力されるスクランブルキーの生成、あるいは入力タイミングに合わせて）スクランブル回路１２に入力される。スクランブル回路１２に入力されたＨＤストリームは、キーメモリ１０からのスクランブルキーと排他的論理和などの演算が行われ、ハードディスクドライブ３の駆動によりハードディスク１に記録される。
【００７７】
このようにしてＨＤストリームがハードディスク１に記録された後、システムコントローラ２２の画質変換日時判定手段２２３は、ハードディスク１に記録された高画質の映像信号および音声信号の情報（ＨＤストリーム）を標準画質の映像信号および音声信号の情報（ＳＤストリーム）に変換する日時が設定されたか否かを判定する（ステップＮ６）。ＨＤストリームがハードディスク１に記録された後、ユーザがリモコン１９を操作して、ＨＤ画質からＳＤ画質に変換する日時（例えば、３日後に変換する開始時刻や、本日に変換する開示時刻などの日時）がフラッシュメモリ１８に設定された場合には、画質変換日時判定手段２２３は、ハードディスク１に記録された高画質の映像信号および音声信号の情報（ＨＤストリーム）を標準画質の映像信号および音声信号の情報（ＳＤストリーム）に変換する日時がフラッシュメモリ１８に設定されたと判定する。
【００７８】
次に、システムコントローラ２２の電源状態判定手段２２４は、装置の電源がオン状態であるかオフ状態であるかを判定する（ステップＮ７，Ｎ８）。装置の電源がオン状態である場合とは、ユーザにより設定された録画予約による予約録画が終了しても、装置の電源を切らずに次の操作を行う場合、ここでは、ＨＤ画質からＳＤ画質への変換を行う予約操作を行う場合には、電源がオンされたままとなる。装置の電源がオンされている状態で、ＨＤ画質からＳＤ画質への変換を行う予約操作がリモコン１９により行われると、システムコントローラ２２は、ＨＤ画質からＳＤ画質への変換を行う予約操作を検知し（ステップＮ１１）、ＨＤ画質からＳＤ画質への変換を行う予約設定が、フラッシュメモリ１８に対して行われる（ステップＮ１２）。
【００７９】
ユーザにより設定された録画予約による予約録画が終了して、装置の電源がオフ状態になったと判定され（ステップＮ８）、図示しないタイマにより現在日時が前記設定された変換日時になったことが検知されたときに（ステップＮ９）、システムコントローラ２２の画質変換制御手段２２５は、ダウンコンバータ６に対してＨＤ画質からＳＤ画質への変換を実行させる制御を行う（ステップＮ１０）。即ち、画質変換制御手段２２５は、ハードディスクドライブ３を駆動させ、ハードディスク１からＨＤストリームを読み出して、ＨＤデコーダ５に入力してデコードし、ＨＤデータとし、ダウンコンバータ６に与える。これにより、ダウンコンバータ６からはＳＤデータが出力され、ＳＤエンコーダ７に入力される。この結果、ＳＤエンコーダ７からは、ＳＤストリームが出力される。即ち、ＨＤ画質からＳＤ画質への変換が行われたことになる。なお、ＨＤ画質からＳＤ画質へ変換されたデータは、ハードディスク１や光ディスク２に正式に記録する前に、フラッシュメモリ１８やハードディスク１の空き領域に一時的に格納させておくことにより、保持することができる。
【００８０】
ステップＮ３において、録画予約メニュー画面Ａにおける項目「ＨＤを選択しますか」の「はい」が選択され決定されたとき（ステップＮ１３）、システムコントローラ２２は、光ディスクドライブ４に挿入されている光ディスク２に対する記録フォーマットなどをディスク情報から取得して、フラッシュメモリ１８に設定し（ステップＮ１４）、ハードディスクドライブ３を駆動させ、番組の高画質の映像信号および音声信号の情報をＨＤ画質のままでハードディスク１に記録させる（ステップＮ１５）。即ち、システムコントローラ２２は、デジタルチューナ１６より得られたＨＤストリームを、バッファメモリ１３およびスクランブル回路１２を介してハードディスクドライブ３に入力し、ハードディスクドライブ３を駆動させ、フラッシュメモリ１８から読み出された記録フォーマットに従って、ＨＤストリームをハードディスク１に記録させる。
【００８１】
また、ステップＮ３において、録画予約メニュー画面Ａにおける項目「ＳＤを選択しますか」の「はい」が選択され決定されたとき（ステップＮ１６）、システムコントローラ２２は、光ディスクドライブ４に挿入されている光ディスク２に対する記録フォーマットなどをディスク情報から取得して、フラッシュメモリ１８に設定し（ステップＮ１７）、ハードディスクドライブ３を駆動させ、デジタルチューナ１６で選局した番組をＳＤ画質でハードディスク１に記録させる（ステップＮ１８）。即ち、システムコントローラ２２は、デジタルチューナ１６により得られたＨＤストリームを、ＨＤデコーダ５でＨＤデータにデコードした後、ダウンコンバータ６に入力して、ＳＤデータに変換し、更に、ＳＤエンコーダ７でＳＤストリームにエンコードし、フラッシュメモリ１８から読み出された記録フォーマットに従って、ＳＤエンコーダ７からのＳＤストリームをハードディスク１に記録させる。
【００８２】
以上説明した第２の実施形態によれば、ハードディスクに記録されたＨＤ画質の映像信号および音声信号の情報（ＨＤストリーム）をＳＤ画質の映像信号および音声信号の情報（ＳＤストリーム）に変換するタイミングの日時をユーザにより設定することができ、且つ装置の電源がオフ状態の時（ユーザから見れば電源がオフされている時）に、ユーザが設定した日時でＨＤ画質からＳＤ画質への変換を行うことができるようにしたので、ユーザが装置を使用していない間に自動的に、ハードディスクに記録されているＨＤ画質の映像信号および音声信号の情報（ＨＤストリーム）をＳＤ画質の映像信号および音声信号の情報（ＳＤストリーム）に変換することができ、これにより、ユーザはＨＤ画質からＳＤ画質への変換作業の時間的な無駄を省くことができる。
【００８３】
即ち、この第２の実施形態によれば、ＨＤ画質からＳＤ画質へ変換させる日にちと時間帯を予めユーザに設定させ、その変換を装置の電源がオフ状態の時に実行させるようにしているので、ユーザの操作を制限することなく効率的にＨＤ画質からＳＤ画質への自動変換を行うことができ、これにより、ユーザはＨＤ画質からＳＤ画質への変換作業の時間的な無駄を省くことができる。
【００８４】
図６は本発明の第３の実施形態に係る複合型記録再生装置の構成を示すブロック図である。図６において、図１に示す構成要素に相当するものには同一の符号を付し、その説明を省略する。
【００８５】
この第３の実施形態のシステムコントローラ２２は、録画予約の操作がされたときに高画質（ＨＤ画質）と標準画質（ＳＤ画質）との両方を選択する項目を含む録画予約メニュー画面をディスプレイ装置２３に表示させる録画予約メニュー画面表示手段２２１と、前記録画予約メニュー画面から高画質と標準画質との両方を選択する項目が選択された場合に、光ディスク２に対する記録フォーマットを設定して現在日時が録画予約日時になったときデジタルチューナ１６で選局された番組の高画質の映像信号および音声信号の情報をハードディスク１に記録させる制御を行う高画質記録制御手段２２２と、ハードディスク１に記録された高画質の映像信号および音声信号の情報を標準画質の映像信号および音声信号の情報に変換する日時がフラッシュメモリ１８に設定されたか否かを判定する画質変換日時判定手段２２３と、前記変換する日時が設定されたと判定された場合に、装置の電源がオン状態であるかオフ状態であるかを判定する電源状態判定手段２２４と、前記電源がオフ状態であると判定され、現在日時が前記設定された変換日時になったときに、画質変換回路としてのダウンコンバータ６に対して高画質から標準画質への変換を実行させる制御を行う画質変換制御手段２２５と、前記変換された標準画質の映像信号および音声信号の情報を光ディスク２またはハードディスク１に記録させる制御を行う標準画質記録制御手段２２６と、前記変換された標準画質の映像信号および音声信号の情報が光ディスク２またはハードディスク１に記録されたときに、前記高画質の映像信号および音声信号の情報をハードディスク１から消去させる制御を行う高画質消去制御手段２２７とを有する。
【００８６】
図７は第３の実施形態での記録および画質変換に関する制御処理を説明するためのフローチャートである。このフローチャートを参照して第３の実施形態での記録および画質変換に関する制御処理について説明する。
【００８７】
リモコン１９により録画予約の操作が行われると、システムコントローラ２２の録画予約メニュー画面表示手段２２１は、録画予約の操作を検知し（ステップＭ１）、これに応答して、フラッシュメモリ１８から録画予約メニュー画面のデータを読み出し、ＯＳＤ回路２１で録画予約メニュー画面表示信号に変換してディスプレイ装置２３に与えることにより、例えば、図２に示すような録画予約メニュー画面Ａをディスプレイ装置２３に表示させる（ステップＭ２）。
【００８８】
ここで、録画予約メニュー画面Ａを見たユーザが、リモコン１９を操作して、項目「ＨＤ＋ＳＤを選択しますか」の「はい」を選択して決定すると、システムコントローラ２２は、ＨＤ＋ＳＤ画質を選択したことを検知し（ステップＭ３）、次に、システムコントローラ２２の高画質記録制御手段２２２は、光ディスクドライブ４に挿入されている光ディスク２に対する記録フォーマットなどをディスク情報から取得して、フラッシュメモリ１８に設定し（ステップＭ４）、図示しないタイマにより現在日時が録画予約日時になったことを検知したときに、ハードディスクドライブ３を駆動させ、デジタルチューナ１６で選局された番組の高画質の映像信号および音声信号の情報をＨＤ画質でハードディスク１に記録させる制御を行う。これにより、ハードディスクドライブ３は、デジタルチューナ１６で選局された番組の高画質の映像信号および音声信号の情報をＨＤ画質のままでハードディスク１に記録する（ステップＭ５）。
【００８９】
即ち、デジタルチューナ１６からのＨＤストリームは、バッファメモリ１３に一時的に所定量だけ格納された後、所望のタイミングで（スクランブル回路１２に入力されるスクランブルキーの生成、あるいは入力タイミングに合わせて）スクランブル回路１２に入力される。スクランブル回路１２に入力されたＨＤストリームは、キーメモリ１０からのスクランブルキーと排他的論理和などの演算が行われ、ハードディスクドライブ３の駆動によりハードディスク１に記録される。
【００９０】
このようにしてＨＤストリームがハードディスク１に記録された後、システムコントローラ２２の画質変換日時判定手段２２３は、ハードディスク１に記録された高画質の映像信号および音声信号の情報（ＨＤストリーム）を標準画質の映像信号および音声信号の情報（ＳＤストリーム）に変換する日時がフラッシュメモリ１８に設定されたか否かを判定する（ステップＭ６）。ＨＤストリームがハードディスク１に記録された後、ユーザがリモコン１９を操作して、ＨＤ画質からＳＤ画質に変換する日時（例えば、３日後に変換する開始時刻や、本日に変換する開示時刻などの日時）が設定された場合には、画質変換日時判定手段２２３は、ハードディスク１に記録された高画質の映像信号および音声信号の情報（ＨＤストリーム）を標準画質の映像信号および音声信号の情報（ＳＤストリーム）に変換する日時がフラッシュメモリ１８に設定されたと判定する。
【００９１】
次に、システムコントローラ２２の電源状態判定手段２２４は、装置の電源がオン状態であるかオフ状態であるかを判定する（ステップＭ７，Ｍ８）。装置の電源がオン状態である場合とは、ユーザにより設定された録画予約による予約録画が終了しても、装置の電源を切らずに次の操作を行う場合、ここでは、ＨＤ画質からＳＤ画質への変換を行う予約操作を行う場合には、電源がオンされたままとなる。装置の電源がオンされている状態で、ＨＤ画質からＳＤ画質への変換を行う予約操作がリモコン１９により行われると、システムコントローラ２２は、ＨＤ画質からＳＤ画質への変換を行う予約操作を検知し（ステップＭ１３）、ＨＤ画質からＳＤ画質への変換を行う予約設定が、フラッシュメモリ１８に対して行われる（ステップＭ１４）。
【００９２】
ユーザにより設定された録画予約による予約録画が終了して、装置の電源がオフ状態になったと判定され（ステップＭ８）、図示しないタイマにより現在日時が前記設定された変換日時になったことが検知されたときに（ステップＭ９）、システムコントローラ２２の画質変換制御手段２２５は、ダウンコンバータ６に対してＨＤ画質からＳＤ画質への変換を実行させる制御を行う（ステップＭ１０）。即ち、画質変換制御手段２２５は、ハードディスクドライブ３を駆動させ、ハードディスク１からＨＤストリームを読み出して、ＨＤデコーダ５に入力してデコードし、ＨＤデータとし、ダウンコンバータ６に与える。これにより、ダウンコンバータ６からはＳＤデータが出力され、ＳＤエンコーダ７に入力される。この結果、ＳＤエンコーダ７からは、ＳＤストリームが出力される。
【００９３】
次に、システムコントローラ２２の標準画質記録制御手段２２６は、前記変換された標準画質の映像信号および音声信号の情報（ＳＤストリーム）を光ディスク２またはハードディスク１に記録させる制御を行う（ステップＭ１１）。ＳＤエンコーダ７から出力されたＳＤストリームを光ディスク２に記録させる場合は、標準画質記録制御手段２２６は、光ディスクドライブ４を駆動させ、光ディスク２にＳＤストリームを記録させる。一方、ＳＤエンコーダ７から出力されたＳＤストリームをハードディスク１に記録させる場合は、標準画質記録制御手段２２６は、ハードディスクドライブ３を駆動させ、ハードディスク１にＳＤストリームを記録させる。
【００９４】
なお、光ディスク２にＳＤストリームを記録させる場合は、光ディスクドライブ４に光ディスク２が予め挿入されていなければならないので、ＨＤ画質からＳＤ画質への変換日時を設定する際に、光ディスクにＳＤストリームを記録するかハードディスクに記録するかの選択メニュー画面をディスプレイ装置２３に表示させ、光ディスクにＳＤストリームを記録する方を選択した場合は、例えば、「ＤＶＤを挿入しておいて下さい」というメッセージをディスプレイ装置２３に表示させるようにして、ユーザに光ディスク（ＤＶＤ）を光ディスクドライブ４に挿入させるようにする。
【００９５】
ＨＤ画質からＳＤ画質に変換された情報であるＳＤストリームが光ディスク２またはハードディスク１に記録された後、システムコントローラ２２の高画質消去制御手段２２７は、ハードディスクドライブを駆動させ、ＨＤ画質の映像信号および音声信号の情報であるＨＤストリームをハードディスク１から消去させる制御を行う（ステップＭ１２）。これにより、ハードディスク１に記録されているＨＤストリームが消去されることになる。この結果、ハードディスク１は、記録データ量が増加することなく、有効に使用することが可能になる。
【００９６】
ステップＭ３において、録画予約メニュー画面Ａにおける項目「ＨＤを選択しますか」の「はい」が選択され決定されたとき（ステップＭ１５）、システムコントローラ２２は、光ディスクドライブ４に挿入されている光ディスク２に対する記録フォーマットなどをディスク情報から取得して、フラッシュメモリ１８に設定し（ステップＭ１６）、ハードディスクドライブ３を駆動させ、番組の高画質の映像信号および音声信号の情報をＨＤ画質のままでハードディスク１に記録させる（ステップＭ１７）。即ち、システムコントローラ２２は、デジタルチューナ１６より得られたＨＤストリームを、バッファメモリ１３およびスクランブル回路１２を介してハードディスクドライブ３に入力し、ハードディスクドライブ３を駆動させ、フラッシュメモリ１８から読み出された記録フォーマットに従って、ＨＤストリームをハードディスク１に記録させる。
【００９７】
また、ステップＮ３において、録画予約メニュー画面Ａにおける項目「ＳＤを選択しますか」の「はい」が選択され決定されたとき（ステップＭ１８）、システムコントローラ２２は、光ディスクドライブ４に挿入されている光ディスク２に対する記録フォーマットなどをディスク情報から取得して、フラッシュメモリ１８に設定し（ステップＭ１９）、ハードディスクドライブ３を駆動させ、デジタルチューナ１６で選局した番組をＳＤ画質でハードディスク１に記録させる（ステップＭ２０）。即ち、システムコントローラ２２は、デジタルチューナ１６により得られたＨＤストリームを、ＨＤデコーダ５でＨＤデータにデコードした後、ダウンコンバータ６に入力して、ＳＤデータに変換し、更に、ＳＤエンコーダ７でＳＤストリームにエンコードし、フラッシュメモリ１８から読み出された記録フォーマットに従って、ＳＤエンコーダ７からのＳＤストリームをハードディスク１に記録させる。
【００９８】
以上説明した第３の実施形態によれば、ハードディスクに記録されたＨＤ画質の映像信号および音声信号の情報（ＨＤストリーム）をＳＤ画質の映像信号および音声信号の情報（ＳＤストリーム）に変換するタイミングの日時をユーザにより設定することができ、且つ装置の電源がオフ状態の時（ユーザから見れば電源がオフされている時）に、ユーザが設定した日時でＨＤ画質からＳＤ画質への変換を行うことができるようにしたので、ユーザが装置を使用していない間に自動的に、ハードディスクに記録されているＨＤ画質の映像信号および音声信号の情報（ＨＤストリーム）をＳＤ画質の映像信号および音声信号の情報（ＳＤストリーム）に変換して光ディスクまたはハードディスクに記録することができ、これにより、ユーザはＨＤ画質からＳＤ画質への変換作業および光ディスクまたはハードディスクへの記録作業の時間的な無駄を省くことができる。
【００９９】
即ち、この第３の実施形態によれば、ＨＤ画質からＳＤ画質へ変換させる日にちと時間帯を予めユーザに設定させ、その変換、および光ディスクまたはハードディスクへの記録を装置の電源がオフ状態の時に実行させるようにしているので、ユーザの操作を制限することなく効率的にＨＤ画質からＳＤ画質への自動変換、および光ディスクまたはハードディスクへの自動記録を行うことができ、これにより、ユーザはＨＤ画質からＳＤ画質への変換作業、および光ディスクまたはハードディスクへの記録作業の時間的な無駄を省くことができる。また、ＨＤ画質でハードディスクに記録した番組は、ユーザが設定したＨＤ画質からＳＤ画質への変換日時までは、ハードディスクに保存されているので、変更日時が来るまでは、何回でも視聴することが可能になる。
【０１００】
なお、第１，第２，第３の実施形態では、ハードディスク装置と光ディスク装置とを備えた複合型記録再生装置において、ハードディスクに記録されているＨＤ画質の情報をＳＤ画質の情報に変換して、ＳＤ画質の情報を光ディスクなどに記録させることについて説明したが、単体のハードディスク装置を単体の光ディスク装置に接続して同様な処理を行うことも考えられるが、この場合、ハードディスク装置と光ディスク装置との制御関係が複雑化するため、単体のハードディスク装置を単体の光ディスク装置に接続して同様な処理を行うことは、かなり難しくなって好ましくない。
【産業上の利用可能性】
【０１０１】
本発明は、ハードディスク装置と光ディスク装置とを備えた複合型記録再生装置に対して、ハードディスクに記録されているＨＤ画質の情報をＳＤ画質の情報に変換して、ＳＤ画質の情報を光ディスクなどに記録させるための機能に利用可能である。
【図面の簡単な説明】
【０１０２】
【図１】本発明の第１の実施形態に係る複合型記録再生装置の構成を示すブロック図である。
【図２】第１，第２，第３の実施形態においてディスプレイ装置に表示される録画予約メニュー画面の一例を説明するための図である。
【図３】第１の実施形態での記録および画質変換に関する制御処理を説明するためのフローチャートである。
【図４】本発明の第２の実施形態に係る複合型記録再生装置の構成を示すブロック図である。
【図５】第２の実施形態での記録および画質変換に関する制御処理を説明するためのフローチャートである。
【図６】本発明の第３の実施形態に係る複合型記録再生装置の構成を示すブロック図である。
【図７】第３の実施形態での記録および画質変換に関する制御処理を説明するためのフローチャートである。
【符号の説明】
【０１０３】
１    ハードディスク
２    光ディスク
３    ハードディスクドライブ（ハードディスク装置）
４    光ディスクドライブ（光ディスク装置）
６    ダウンコンバータ（画質変換回路）
１６    デジタルチューナ
１８    フラッシュメモリ（メモリ）
２２    システムコントローラ
２３    ディスプレイ装置
２２１    録画予約メニュー画面表示手段
２２２    高画質記録制御手段
２２３    画質変換日時判定手段
２２４    電源状態判定手段
２２５    画質変換制御手段
２２６    高画質消去手段
【図１】
2007281854.tif 000003
【図２】
2007281854.tif 000004
【図３】
2007281854.tif 000005
【図４】
2007281854.tif 000006
【図５】
2007281854.tif 000007
【図６】
2007281854.tif 000008
【図７】
2007281854.tif 000009